(57)【要約】【課題】 発光ダイオード照明装置を提供する。【解決手段】  ダイキャスト型ランプカバーの頂面に複数の散熱フィンを突出設置し、収容室内に複数の発光ダイオードモジュールを設置する。各発光ダイオードモジュールは発光ダイオードランプセットと温度均一板を含み、反射カバーは複数の開孔により複数の発光ダイオードモジュールに対応し嵌入し、収容室の内面に隣接する。光透過カバーはダイキャスト型ランプカバー上に設置し、収容室を密封する。こうして光線を均一に発散、投射させ、光線の損失を減少させ、発光ダイオードモジュールは散熱を効果的に行うことができるため、発光ダイオードの過熱による損壊を減少させることができる。【選択図】図３
0003141757.tif 000002
【実用新案登録請求の範囲】
【請求項１】
発光ダイオード照明装置はダイキャスト型ランプカバー、複数の発光ダイオードモジュール、反射カバー、光透過モジュールを含み、
前記ダイキャスト型ランプカバーは盤状を呈し、複数の発光ダイオードモジュールを取り囲み、収容室を形成し、該ランプカバーは内面及びその上方に形成する頂面を含み、該頂面上には外向きに複数の散熱フィンを突出設置し、
前記複数の発光ダイオードモジュールは該ランプカバーの収容室内に設置し、該内面と密着接触し、該発光ダイオードモジュールは発光ダイオードランプセット及び温度均一板を含み、該温度均一板は該発光ダイオードランプセットと該内面の間に挟み設置し、
前記反射カバーは複数の開孔を備え、該各開孔はそれぞれ該発光ダイオードモジュール外縁に対応し嵌設し、
前記光透過モジュールは該ランプカバー下方に設置し、該収容室を封鎖することを特徴とする発光ダイオード照明装置。
【請求項２】
前記反射カバーの開孔の数は、前記発光ダイオードモジュールの数と相同であることを特徴とする請求項１記載の発光ダイオード照明装置。
【請求項３】
前記発光ダイオードモジュールはさらに固接板を含み、前記発光ダイオードランプセットは前記固接板上に設置し、該温度均一板は該発光ダイオードランプセット、前記固接板及び該内面の間に挟み設置することを特徴とする請求項１記載の発光ダイオード照明装置。
【請求項４】
前記発光ダイオードランプセットはランプカップ、レンズ及び少なくとも一個の発光ダイオードを含み、該レンズは該ランプカップ下端に設置し、該発光ダイオードは該ランプカップ上端に設置することを特徴とする請求項１記載の発光ダイオード照明装置。
【請求項５】
前記光透過モジュールは光透過カバーを含み、該光透過カバーは内表面を備え、該内表面は波浪状を呈することを特徴とする請求項１記載の発光ダイオード照明装置。
【請求項６】
前記光透過モジュールはさらにゴムテープを含み、該ゴムテープは該光透過カバーと該ランプカバーの間に挟み設置することを特徴とする請求項５記載の発光ダイオード照明装置。
【請求項７】
前記光透過モジュールはさらにゴムテープ及び下蓋体を含み、該ゴムテープは該光透過カバーと該下蓋体の間に挟み設置することを特徴とする請求項５記載の発光ダイオード照明装置。
【請求項８】
前記下蓋体の外縁中間位置にはフックを連接し、前記光透過モジュールは該フックにより該ランプカバーと相互に嵌設することを特徴とする請求項７記載の発光ダイオード照明装置。
【請求項９】
前記収容室は第一収容室及び該第一収容室と隣接する第二収容室を含み、前記各発光ダイオードモジュールは該第一収容室内部に収容設置されることを特徴とする請求項１記載の発光ダイオード照明装置。
【請求項１０】
前記発光ダイオードモジュールはネジによりダイキャスト型ランプカバーの内面上に螺設されることを特徴とする請求項１記載の発光ダイオード照明装置。
【考案の詳細な説明】
【技術分野】
【０００１】
本考案は照明装置に関し、特に、室内或いは戸外で用いる発光ダイオード照明装置に係る。
【背景技術】
【０００２】
周知のように、発光ダイオード(LED)は良好な輝度、比較的長い寿命、節電等の長所を備える。そのため、今では多くのメーカーが発光ダイオードを室内或いは戸外照明装置等の多種の製品に応用している。さらには発光ダイオードをノート型コンピュータのモニター内においてこれまで使用されてきたＣＲＴの代わりに、ノート型コンピュータに応用する動きも見られる。
その内の一つの形式である照明装置を例とすると、中華民国特許第M307091号が示す構造は、主にアルミプレス型ランプカバー、複数の発光ダイオードモジュール、一組の蓋、光透過カバーを含む。
該アルミプレス型ランプカバーは台体を備え、該台体頂面には多数の散熱片を延伸形成し、隣接する任意の散熱片の間には散熱通道を形成する。別に、該台体内側には受け止め部を形成する。
該複数のＬＥＤ(発光ダイオード)モジュールは、それぞれ固定台、該固定台片側に固設するランプカバー、及び該ランプカバー内部に収容設置する複数のＬＥＤランプを含み、該固定台上には該台体の受け止め部に対応する連接部を設置し、相互に固設連接する。該蓋はそれぞれ該ランプカバーの前、後両側を封鎖する。該光透過カバーは該ランプカバーの下方に連接し、該ランプカバー、該蓋、及び該光透過カバーの間を取り囲み、該ＬＥＤモジュールを設置する容置空間を形成する。
【特許文献１】中華民国特許第M307091号公報
【考案の開示】
【考案が解決しようとする課題】
【０００３】
公知構造には以下の欠点があった。
すなわち、公知照明装置の構造はＬＥＤランプの光線を十分に反射させることができず、しかも公知照明装置は構造が複雑過ぎるため、組み立て及びメンテナンスの利便性が十分でなく、なお改善の余地がある。
本考案は上記構造の問題点に鑑みてなされたもので、ＬＥＤランプの光線を十分に反射させ、構造が簡単で、組み立て及びメンテナンスの利便性が良い発光ダイオード照明装置を提供することである。
【課題を解決するための手段】
【０００４】
上記課題を解決するため、本考案は下記の発光ダイオード照明装置を提供する。
発光ダイオード照明装置はダイキャスト型ランプカバー、複数の発光ダイオードモジュール、反射カバー、光透過モジュールを含み、
該ダイキャスト型ランプカバーは盤状を呈し、取り囲み、収容室を形成し、該ランプカバーは内面及びその上方に形成する頂面を含み、該頂面上には外向きに複数の散熱フィンを突出設置し、
該複数の発光ダイオードモジュールは該ダイキャスト型ランプカバーの内面上に組合せ、該収容室に位置し、しかも該複数の発光ダイオードモジュールはそれぞれ発光ダイオードランプセット及び温度均一板を含み、該温度均一板は該発光ダイオードランプセットと該ダイキャスト型ランプカバーの内面の間に挟み設置し、
該反射カバーは複数の開孔、及びコーティング光反射面を含み、該複数の開孔はそれぞれ該複数の発光ダイオードモジュールに対応し嵌入し、しかも該ダイキャスト型ランプカバーの内面に隣接し、該コーティング光反射面は該複数の発光ダイオードモジュールの照射方向に対応し設置し、
該光透過モジュールは該ダイキャスト型ランプカバー上に組み立て、該収容室を封鎖し、
上記構造により、反射カバーの設計を利用し該発光ダイオードモジュールの光線を均一に発散、投射させ、これにより光線の損失を減少させることができ、さらに温度均一板の設計を利用し該発光ダイオードモジュールは散熱を効果的に行うことができ、こうして発光ダイオードモジュールが過熱により損壊する確率を低下させることができる。
【０００５】
別に、該ダイキャスト型ランプカバーは一体成型設計で、しかも全体構造の部品数を減少させることができるため、構造を単純化し、組み立て及びメンテナンスの利便性を拡大することができ、
該光透過モジュールは光透過カバーを含み、該光透過カバーは内表面を備え、該内表面は波浪状を呈するため、該発光ダイオードモジュールの光線は該光透過カバーを経由後、さらにに均一となり散射され、或いは波浪形状の変化により該発光ダイオードの光線は該光透過カバーの内表面を通過後、ある一つの位置点に集中させることができ、
該ダイキャスト型ランプカバーの収容室は第一収容室及び該第一収容室と隣接する第二収容室を含み、該複数の発光ダイオードモジュールは該第一収容室内部に収容設置され、該第二収容室には他の変圧器等の装置を設置することができるため、該第一収容室と該第二収容室は高熱、低熱の隔絶効果を備え、こうして発光ダイオードの過熱により損壊発生の確率を低下させることができる。
【考案の効果】
【０００６】
上記のように、本考案の発光ダイオード照明装置によれば、光透過カバーをダイキャスト型ランプカバー上に設置し、収容室を密封することで、光線を均一に発散、投射させるため、光線の損失を減少させることができる。さらに本考案の発光ダイオードモジュールは散熱を効果的に行うことができるため、発光ダイオードの過熱による損壊を減少させることができる。
また、本考案の発光ダイオード照明装置は、構造が簡単で、組み立て及びメンテナンスの利便性が良い。
【考案を実施するための最良の形態】
【０００７】
図１は本考案の実施例の組合せ外観図で、本考案の実施例の発光ダイオード照明装置を示す。
図１〜４に示すように、該発光ダイオード照明装置は主にダイキャスト型ランプカバー1、複数の発光ダイオードモジュール3、反射カバー2、光透過モジュール4を含む。
図中のダイキャスト型ランプカバー1は盤状を呈し、複数の発光ダイオードモジュールを取り囲み、収容室11を形成し、該ダイキャスト型ランプカバー1は内面12及び該内面12上方に形成する頂面13を含む。該頂面13上方には外向きに複数の散熱フィン14を突出設置する。本実施例中では、該ダイキャスト型ランプカバー1の収容室11は第一収容室111及び該第一収容室111と隣接する第二収容室112を含む。
該複数の発光ダイオードモジュール3(本実施例中では六個)は該ダイキャスト型ランプカバー1の内面12上に組合せ、該収容室11の第一収容室111内部に位置し、しかも該複数の発光ダイオードモジュール3はそれぞれ発光ダイオードランプセット31及び温度均一板32を含む。該温度均一板32は該発光ダイオードランプセット31と該内面12の間に挟み設置する。
【０００８】
図５に示すように、本実施例中では、該発光ダイオードモジュール3はさらに固接板33を含む。該発光ダイオードランプセット31は該固接板33上に設置し、該温度均一板32は該発光ダイオードランプセット31、該固接板33及び該ダイキャスト型ランプカバー1の内面12の間に挟み設置する。該複数の発光ダイオードモジュール3は該ダイキャスト型ランプカバー1の内面12上に螺設する。図中のネジ34等により、該固接板33を通過後、該ダイキャスト型ランプカバー1の内面12上に螺合、設置する。
また、本実施例中では、該発光ダイオードランプセット31はランプカップ311、レンズ312(図３参照)、複数の発光ダイオード313(本実施例中では、該各発光ダイオードランプセット31は六個の発光ダイオード313を含む)及び外殼314を含む。該レンズ312は該ランプカップ311下端に設置し、該複数の発光ダイオード313は該ランプカップ311上端に設置する。該外殼314一端は該固接板33に連接し、下方へと延伸し、該ランプカップ311及び該レンズ312外部上を蓋合する。
【０００９】
図６に示すように、該反射カバー2は複数の開孔21及びコーティング光反射面22(図３参照)を含む。
該複数の開孔21の数は該発光ダイオードモジュール3の数(六個)と相同で、すなわち該複数の開孔21はそれぞれ該複数の発光ダイオードモジュール3に対応嵌入し、該ダイキャスト型ランプカバー1の内面12に隣接する。該コーティング光反射面22は該複数の発光ダイオードモジュール3の照射方向に対応し設置する。
別に、該光透過モジュール4は該ダイキャスト型ランプカバー1上に設置し、該収容室11を封鎖する。本実施例中では、該光透過モジュール4は光透過カバー41、二本のゴムテープ42及び下蓋体43を含む。
【００１０】
該光透過カバー41は透明体で、しかも該光透過カバー41は内表面411を備える。該内表面411は凹凸状を呈する。
該光透過カバー41と該下蓋体43の間にはゴムテープ42を装置し、該下蓋体43と該ダイキャスト型ランプカバー1の間にも別にゴムテープ42を装置する。こうして防水、防塵の効果を達成する。
また該下蓋体43の外周縁中央にはフック44を連接し、該光透過モジュール4は該フック44により該とダイキャスト型ランプカバー1を嵌設する。こうして該反射カバー2と該光透過モジュール4の連結は、該圧板及びネジにより達成される。
こうして該反射カバー2の設置を利用し、該発光ダイオードモジュール3の発光ダイオード313の光線を均一に発散、投射させ、これにより光線の損失を減少させることができる。
この他、該発光ダイオードモジュール3は温度均一板32を備えるため、該発光ダイオードモジュール3は効果的に散熱を行うことができ、該発光ダイオード313の過熱による損壊を回避可能で、その使用寿命を延長することができる。
【００１１】
また、該ダイキャスト型ランプカバー1は一体成型で、しかも全体構造の部品数を減らすことができるため、構造を単純化し、組み立て及びメンテナンスの利便性を拡大することができる。
さらに、該光透過カバー41の内表面411の波浪状設計により、該発光ダイオードモジュール3の発光ダイオード313の光線が該光透過カバー41の内表面411を通過する時、この波浪により光線はさらに均一に散射される。
もちろん、波浪の波形の大きさ或いは角度等の設計は変化させることもでき、これにより、該発光ダイオードモジュール3の発光ダイオード313の光線が該光透過カバー41の内表面411を通過することで、ある一つの位置点に集中させることもできる。
また、該複数の発光ダイオードモジュール3は該ダイキャスト型ランプカバー1収容室11の第一収容室111に位置するため、該第二収容室112には他の変圧器等部品或いは装置を設置することもできる。すなわち、該第一収容室111と該第二収容室112は高熱、低熱の隔絶効果を備え、こうして該発光ダイオード313に過熱により損壊が発生する確率を低下させることができる。
なお、本考案の特徴を損なうものでなければ、上述した実施例に限定するものではないことは勿論である。
【図面の簡単な説明】
【００１２】
【図１】本考案の実施例の組合せ外観図である。
【図２】本考案の断面図である。
【図３】本考案の別の方向からの断面図である。
【図４】本考案のランプカバーと光透過モジュールの立体分解図である。
【図５】本考案のランプカバーと発光ダイオードモジュールの立体分解図である。
【図６】本考案の光透過モジュールの立体分解図である。
【符号の説明】
【００１３】
1  ダイキャスト型ランプカバー
11  収容室
111  第一収容室
112  第二収容室
12  内面
13  頂面
14  散熱フィン
2  反射カバー
21  開孔
22  コーティング光反射面
3  発光ダイオードモジュール
31  発光ダイオードランプセット
311  ランプカップ
312  レンズ
313  発光ダイオード
314  外殼
32  温度均一板
33  固接板
34  ネジ
4  光透過モジュール
41  光透過カバー
411  内表面
42  ゴムテープ
43  下蓋体
44  フック
【図１】
0003141757.tif 000003
【図２】
0003141757.tif 000004
【図３】
0003141757.tif 000005
【図４】
0003141757.tif 000006
【図５】
0003141757.tif 000007
【図６】
0003141757.tif 000008